(57)【要約】【課題】遊技者が遊技対象の遊技機を変更するに当たって遊技機の遊技データを重視する場合に、移動先の候補となる遊技機の決定をきわめて簡単に行い得るようにすること。【解決手段】管理装置６は、パチンコホール内の複数台のパチンコ遊技機１についての遊技データ（特賞回数、累計スタート回数など）をパチンコ遊技機１毎に区分して集計する。液晶表示部１０を備えた台毎表示ユニット３は、管理装置６の集計データに基づいて、対応するパチンコ遊技機１についての遊技データと他のパチンコ遊技機１群についての遊技データとを個別に比較し、遊技者により予め設定されている台移動条件を満たしているパチンコ遊技機１が存在する場合に、当該パチンコ遊技機１を特定可能な移動先候補情報を液晶表示部１０に表示する。【選択図】  図１
2005013333.tif 000002
【特許請求の範囲】
【請求項１】
遊技場内の複数台の遊技機についての遊技データを遊技機毎に区分して集計管理する管理手段と、
前記遊技機に対応して設けられた表示手段と、
前記管理手段による管理データに基づいて特定の遊技機についての遊技データと他の遊技機群についての遊技データとを個別に比較し、その比較結果が所定の台移動条件を満たしている遊技機が存在する場合に、当該遊技機を特定可能な移動先候補情報を前記特定の遊技機に対応した前記表示手段に表示する表示制御手段と、
を備えたことを特徴とする遊技場用情報表示システム。
【請求項２】
前記台移動条件は、前記特定の遊技機での遊技者の操作に応じて任意に設定可能に構成されていることを特徴とする請求項１記載の遊技場用情報表示システム。
【請求項３】
前記管理手段は、管理対象の遊技機の稼働状態を判定する機能を備え、
前記表示制御手段は、前記移動先候補情報により特定される遊技機が稼働状態にあるか否かを示す稼働情報を前記管理手段から取得すると共に、その稼働情報を、前記表示手段に対し当該移動先候補情報と共に表示する機能を備えていることを特徴とする請求項１または２記載の遊技場用情報表示システム。
【発明の詳細な説明】
【０００１】
【発明の属する技術分野】
本発明は、遊技者が遊技対象の遊技機を変更しようとする場合に有益となる遊技場用情報表示システムに関する。
【０００２】
【従来の技術】
特許文献１には、遊技場内での遊技者に対して、遊技機の空席状態を報知するシステムが記載されている。このシステムは、遊技者が遊技を行いたいと希望する遊技機（狙い台）について空席通知登録するための空席通知登録手段と、遊技機が空席になったことを検出する空席検出手段とを設け、上記空席通知登録手段に登録された遊技機が空席となったことが当該空席検出手段によって検出されたときに、空席通知登録を行った遊技者が遊技中の遊技機に対応した表示手段に対し、狙い台が空席になったことを表示する構成となっている。
【０００３】
【特許文献１】
特開２００２−２６３３４９号公報
【０００４】
【発明が解決しようとする課題】
遊技者は、遊技対象の遊技機での遊技内容に不満がある場合には、遊技対象を変更するという所謂台移動を行うのが通常であり、このような台移動を行う際に特許文献１に記載されたシステムは有益となる。この場合、狙い台を決める判断基準、つまり、移動先の遊技機の良し悪しの判断基準としては、遊技機の機種についての遊技者自身の好みなどの固定的情報の他に、遊技機毎に集計管理される遊技データが利用されることが多いという一般的事情がある。特に、近年では、遊技機に対応して設けられた表示手段に対して、当該遊技機並びに他の遊技機についての遊技データを表示できるようにしたシステムが提供されているから、このようなシステムを採用している遊技場では、台移動を行うに当たって、他の遊技機の遊技データを参考にすることが可能であり、このような遊技データの比較結果に基づいて狙い台を決定することが行われている。
【０００５】
しかしながら、遊技場内には数多くの遊技機が設置されており、遊技データの比較対象を同一の機種に限定しただけでも数十台の遊技機についての遊技データを逐一比較しなければならず、その比較作業が極めて煩雑になるという問題点があった。また、遊技者が遊技データの比較作業を苦労して行ったとしても、狙い台となる遊技機が存在しない場合もあり得るから、この場合には当該比較作業が全くの徒労に終わることになり、遊技者にとっては負担が大きくなるという問題点があった。
【０００６】
本発明は上記事情に鑑みてなされたものであり、その目的は、遊技者が遊技対象の遊技機を変更するに当たって遊技機の遊技データを重視する場合に、移動先の候補となる遊技機の決定をきわめて簡単に行い得るようになる遊技場用情報表示システムを提供することにある。
【０００７】
【課題を解決するための手段】
請求項１記載の発明は、上記目的を達成するために、遊技場内の複数台の遊技機についての遊技データを遊技機毎に区分して集計管理する管理手段と、前記遊技機に対応して設けられた表示手段と、前記管理手段による管理データに基づいて特定の遊技機についての遊技データと他の遊技機群についての遊技データとを個別に比較し、その比較結果が所定の台移動条件を満たしている遊技機が存在する場合に、当該遊技機を特定可能な移動先候補情報を前記特定の遊技機に対応した前記表示手段に表示する表示制御手段とを備えた構成としたものである。
【０００８】
この構成によれば、管理手段において、複数台の遊技機についての遊技データが個別に集計管理される。表示制御手段は、このような管理データに基づいて、特定の遊技機についての遊技データと、他の遊技機群についての遊技データとを個別に比較し、その比較結果が所定の台移動条件を満たしている遊技機が存在する場合に、当該遊技機を特定可能な移動先候補情報を前記特定の遊技機に対応した表示手段に表示するようになる。従って、特定の遊技機で遊技中の遊技者が遊技対象の遊技機を変更するに当たって各遊技機の遊技データを重視する場合、当該遊技者は、従来構成のように多数台の遊技機についての遊技データを逐一比較する作業を行う必要がなくなり、移動先の候補となる遊技機の決定を表示手段の表示内容に基づいてきわめて簡単に行い得るようになる。
【０００９】
この場合、請求項２記載の発明のように、前記台移動条件を、前記特定の遊技機での遊技者の操作に応じて任意に設定可能な構成とすることもできる。
この構成によれば、移動先候補情報の抽出基準となる台移動条件の設定を遊技者側で行い得るから、狙い台（遊技者が遊技を行いたいと希望する遊技機）の絞込みに遊技者の意向を十分に反映できるようになるなど、実用上において便利になる。
【００１０】
また、請求項３記載の発明のように、前記管理手段に対し、管理対象の遊技機の稼働状態を判定する機能を付加し、前記表示制御手段に対し、前記移動先候補情報により特定される遊技機が稼働状態にあるか否かを示す稼働情報を前記管理手段から取得すると共に、その稼働情報を、前記表示手段に対し当該移動先候補情報と共に表示する機能を付加する構成としても良い。
この構成によれば、移動先候補情報に対応した遊技機が稼動中であった場合、つまり当該遊技機への台移動が不可能な状態にある場合には、その旨を遊技者側で容易に確認できるようになるから、無駄な台移動を行ってしまう恐れがなくなる。
【００１１】
【発明の実施の形態】
以下、本発明をパチンコホール用の情報表示システムに適用した一実施例について図面を参照しながら説明する。
図１にはシステム全体の構成が概略的に示されている。この図１において、パチンコホール内には複数台のパチンコ遊技機１が設置されていると共に、各遊技機１に隣接してＣＲ（カードリーダ）機２及び台毎表示ユニット３が設置されている。ＣＲ機２は、図示しないプリペイドカードが挿入された状態で、当該プリペイドカードに記憶された残高金額の範囲内で遊技媒体であるパチンコ玉の貸出動作を行う。この場合、貸出されたパチンコ玉はパチンコ遊技機１から直接払出されるようになっている。尚、パチンコ遊技機１は、遊技盤面上に設けられた電動役物が作動して所定の特賞条件が成立すると、出玉率を高めた特賞状態を呈するものである。また、所定の確率変動条件が成立すると、上記特賞条件の成立する確率が高い確率変動状態を呈するように構成されている。
【００１２】
２台ずつのパチンコ遊技機１及びＣＲ機２に対応して入出力インタフェース４が設けられており、各パチンコ遊技機１及びＣＲ機２は入出力インタフェース４を通じて島毎に設置された遊技機管理装置５と接続されている。この遊技機管理装置５は、島全体のパチンコ遊技機１のデータを収集管理して管理装置６（本発明でいう管理手段に相当）に送信する。台毎表示ユニット３は、島毎に設置された表示ユニット管理装置７を通じて管理装置６と接続されている。この表示ユニット管理装置７は、島全体の台毎表示ユニット３で表示するためのデータを収集加工する。
【００１３】
管理装置６は、遊技機管理装置５を通じて各パチンコ遊技機１についての遊技データ（特賞回数、累計スタート回数、特賞間スタート回数、特賞確率、確変突入率など）を収集し、その遊技データをパチンコ遊技機１毎に区分して集計管理する機能、各パチンコ遊技機１の稼働状態を例えばパチンコ遊技機１からのアウト玉信号に基づいて判定する機能、ＣＲ機２の売上状態を管理する機能などを備えた周知構成のものである。
【００１４】
ここで、上記遊技データについて詳しく説明すると、「特賞回数」とはパチンコ遊技機１が特賞状態になった回数、「累計スタート回数」とはパチンコ遊技機１の電動役物が作動した回数、「特賞間スタート回数」とは特賞状態が終了してから現時点までに電動役物が作動した回数、「特賞確率」とは特賞状態が１回発生するまでに電動役物が作動した回数の平均（換言すると、電動役物が１回作動したときに特賞状態が発生する確率、「確変突入率」とは確率変動状態が発生する確率、である。
【００１５】
図２には台毎表示ユニット３の斜視図が示されている。この図２において、台毎表示ユニット３には、状態表示ランプ８、タッチパネル９を有した液晶表示部１０（表示手段に相当）、ポイント表示部１１、カード排出ボタン１２、カード挿入口１３を備えて構成されている。状態表示ランプ８は、稼働状態及びエラー状態などを表示する。ポイント表示部１１は、パチンコホールの会員が現在獲得しているサービスポイントを表示する。カード挿入口１３にはパチンコホールが発行した会員カード（図示せず）が挿入される。
【００１６】
図３には台毎表示ユニット３及びこれに関連した部分の電気的構成が機能ブロックの組合せにより概略的に示されている。この図３において、台毎表示ユニット３は、制御部１４（表示制御手段に相当）を主体として構成されている。この制御部１４は、ＣＰＵ１５、ＲＯＭ１６、ＲＡＭ１７などを備えて成り、ＲＯＭ１６に記憶されたプログラムに基づいてＣＰＵ１５が動作する。ＣＰＵ１５の動作としては、送受信部１９を通じて行う表示ユニット管理装置７及び管理装置６との間のデータ通信制御、カード挿入口１３に対応して内蔵されたカードリーダ１８による会員カードからの会員番号の読み取り制御、状態表示ランプ８の点灯制御、ポイント表示部１１に対するデータ表示制御、カード排出ボタン１２のｓ操作状態の判断、上記データ通信制御に応じて管理装置６から取得した遊技データを液晶表示部１０に表示する制御などの他に、本発明の要旨に関連した移動条件設定制御及び移動候補台表示制御がある。
【００１７】
図４には、制御部１４による制御内容のうち本発明の要旨に関連した部分（移動候補台の条件設定のための制御）についてのフローチャートが示されており、以下これについて液晶表示部１０での表示例を示す図５ないし図８も参照しながら説明する。
【００１８】
すなわち、制御部１４は、常時において液晶表示部１０にメニュー画面を表示しており、このメニュー画面上で、対応するパチンコ遊技機１の遊技データを表示するための個別データ表示モードが選択されたときに図４に示す個別データ表示処理ルーチンを実行する。この処理ルーチンでは、液晶表示部１０に対し図５に示す遊技データ画面を表示する（ステップＳ１）。
【００１９】
図５に示すように、遊技データ画面には、対応するパチンコ遊技機１の台番号ａ１、表示内容が当該パチンコ遊技機１の遊技データであることを示すタイトルａ２、予め表示対象として決められた遊技データ（特賞回数、累計スタート回数、特賞間スタート回数、特賞確率、確変突入率）についての現在値（但し、当日のデータ）を示すデータボックスａ３、「移動条件設定」アイコンａ４、「移動候補台」アイコンａ５が表示される。
【００２０】
この後には、タッチパネル９の状態を監視することにより、「移動条件設定」アイコンａ４及び「移動候補台」アイコンａ５の何れかがタッチ操作されるまで待機する（ステップＳ２、Ｓ３）。そして、「移動条件設定」アイコンａ４がタッチ操作されたときには、液晶表示部１０に対し図６に示す機種選択画面を表示する（ステップＳ４）。
【００２１】
図６に示すように、機種選択画面には、移動候補台についての条件設定画面であることを示す「移動条件設定」のタイトルｂ１、機種の選択を促すメッセージｂ２、複数の機種を羅列表示した機種選択ボックスｂ３、「次へ」アイコンｂ４、「キャンセル」アイコンｂ５が表示される。尚、この機種選択画面において、機種選択ボックスｂ３内の機種名表示部分のタッチパネル９をタッチ操作することにより機種の選択が行われるものであり、選択された機種に対応した機種名表示部分は反転表示状態（図６では斜線帯で示す）に切替えられる構成となっている。
【００２２】
この後には、タッチパネル９の状態を監視することにより、「次へ」アイコンｂ４及び「キャンセル」アイコンｂ５の何れかがタッチ操作されるまで待機する（ステップＳ５、Ｓ６）。
【００２３】
この場合、「キャンセル」アイコンｂ５がタッチ操作されたときには、遊技データ画面（図５参照）を表示するステップＳ１へ戻るが、「次へ」アイコンｂ４がタッチ操作されたときには、液晶表示部１０に対し図７に示す条件設定画面を表示する（ステップＳ７）。尚、機種選択ボックスｂ３内の機種名表示部分のタッチ操作に応じた機種選択が行われることなく「次へ」アイコンｂ４がタッチ操作された場合、制御部１４は、例えば、全ての機種が選択されたものと判断する構成、或いは、機種の選択を促す画面を表示した後に機種選択画面表示状態へ戻る構成となっている。
【００２４】
図７に示すように、条件設定画面には、移動候補台についての条件設定画面であることを示す「移動条件設定」のタイトルｃ１、条件の選択を促すメッセージｃ２、表示対象の遊技データ（特賞回数、累計スタート回数、特賞間スタート回数、特賞確率、確変突入率）の項目名に対応させた状態で台移動条件を表示した条件選択ボックスｃ３、「設定完了」アイコンｃ４、「キャンセル」アイコンｃ５が表示される。尚、この条件設定画面において、条件選択ボックスｃ３内の条件表示部分のタッチパネル９をタッチ操作することにより移動候補台についての台移動条件の設定が行われるものであり、設定された台移動条件に対応した条件表示部分は反転表示状態（図７では斜線帯で示す）に切替えられる構成となっている。
【００２５】
この後には、タッチパネル９の状態を監視することにより、「設定完了」アイコンｃ４及び「キャンセル」アイコンｃ５の何れかがタッチ操作されるまで待機する（ステップＳ８、Ｓ９）。
【００２６】
この場合、「キャンセル」アイコンｃ５がタッチ操作されたときには、機種選択画面（図６参照）を表示するステップＳ４へ戻るが、「設定完了」アイコンｃ４がタッチ操作されたときには、候補台抽出処理ルーチンＳ１０を実行する。尚、条件選択ボックスｃ３内の台移動条件表示部分のタッチ操作に応じた条件設定が一つも行われることなく「設定完了」アイコンｃ４がタッチ操作された場合、制御部１４は、予め決められたデフォルト条件が設定されたものと判断する構成となっている。
【００２７】
候補台抽出処理ルーチンＳ１０では、管理装置６の管理データに基づいて、対応するパチンコ遊技機１での遊技データ（特賞回数、累計スタート回数、特賞間スタート回数、特賞確率、確変突入率）と、他のパチンコ遊技機１群のうち機種選択画面で選択された機種のパチンコ遊技機１群についての遊技データとを個別に比較し、その比較結果が条件設定画面で設定された台移動条件を満たしているパチンコ遊技機１が存在する場合に、当該パチンコ遊技機１の機種及び台番号を移動先候補情報として抽出する処理が行われる。また、これと同時に、抽出された移動先候補情報により特定されるパチンコ遊技機１が稼働状態にあるか否かを示す稼働情報を管理装置６から取得する処理も行われる。
【００２８】
候補台抽出処理ルーチンＳ１０の実行後には、液晶表示部１０に対し図８に示す移動候補台画面を表示する（ステップＳ１１）。この移動候補台画面には、移動候補台の表示画面であることを示す「移動候補台」のタイトルｄ１、候補台抽出処理ルーチンＳ１０で抽出した移動先候補情報により示される機種及び台番号、並びに候補台抽出処理ルーチンＳ１０で取得した稼働情報（移動先候補情報により特定されるパチンコ遊技機１の稼働状態を示す情報）を表示した移動候補台表示ボックスｄ２、「ＯＫ」アイコンｄ３が表示される。この場合、上記移動候補台表示ボックスｄ２はスクロールボックスを備えた状態とされる。
【００２９】
尚、図示しないが、候補台抽出処理ルーチンＳ１０の実行の結果、移動先候補情報がなかった場合には、例えば、液晶表示部１０に対し移動候補台が存在しないことを表示すると共に、候補台抽出処理ルーチンＳ１０を再実行し、これに応じて移動先候補情報が抽出されたときに移動候補台画面を表示するという制御が行われる。
【００３０】
この後には、「ＯＫ」アイコンｄ３がタッチ操作されるまで、若しくは予め設定された一定時間が経過するまで待機する（ステップＳ１２、Ｓ１３）。そして、「ＯＫ」アイコンｄ３がタッチ操作されたとき、若しくはそのタッチ操作が行われることなく一定時間が経過したときには、遊技データ画面（図５参照）を表示するステップＳ１へ戻る。
【００３１】
一方、遊技データ表示画面を表示した状態で「移動候補台」アイコンａ５がタッチ操作されたとき（ステップＳ３で「ＹＥＳ」）には、前述した移動先候補情報の有無を判断し（ステップＳ１４）、移動先候補情報がない場合には遊技データ画面を表示するステップＳ１へ戻る。尚、ステップＳ１へ戻る前に、液晶表示部１０に対し、移動候補台がない旨を表示することが望ましい。これに対して、移動先候補情報があった場合には、移動候補台画面（図８参照）を表示するステップＳ１１へ移行する。
【００３２】
要するに、上記した本実施例によれば、パチンコ遊技機１での遊技者が、移動を希望するパチンコ遊技機１の機種の選択操作及び台移動条件の設定操作を対応する台毎表示ユニット３の液晶表示部１０及びタッチパネル９を通じて行っておけば、当該パチンコ遊技機１についての遊技データと、他のパチンコ遊技機１群のうち選択された機種のパチンコ遊技機１についての遊技データとが個別に比較され、その比較結果が設定された台移動条件を満たしているパチンコ遊技機１が存在する場合に、そのパチンコ遊技機１を特定可能な移動先候補情報が上記液晶表示部１０に自動的に表示されるようになる（図８に示された移動候補台表示画面を参照）。
【００３３】
従って、パチンコ遊技機１で遊技中の遊技者が遊技対象を変更するに当たって各パチンコ遊技機１の遊技データを重視する場合、当該遊技者は、従来構成のように多数台のパチンコ遊技機１についての遊技データを逐一比較する作業を行う必要がなくなり、移動先の候補となるパチンコ遊技機１の決定を液晶表示部１０の表示内容に基づいてきわめて簡単に行い得るようになる。
【００３４】
また、移動先候補情報の抽出基準となる台移動条件は、液晶表示部１０に表示された条件設定画面（図７参照）を通じた遊技者側の操作に応じて任意に設定可能な構成となっているから、狙い台（遊技者が遊技を行いたいと希望するパチンコ遊技機１）の絞込みに遊技者の意向を十分に反映できるようになるなど、実用上において便利になる。
【００３５】
さらに、移動候補台画面には、移動先候補情報により特定されるパチンコ遊技機１が稼働状態にあるか否かを示す稼働情報も同時に表示される構成となっている。このため、移動先候補情報に対応したパチンコ遊技機１が稼動中であった場合、つまり当該パチンコ遊技機１への台移動が不可能な状態にある場合には、その旨を遊技者側で容易に確認できるようになるから、無駄な台移動を行ってしまう恐れがなくなる。
【００３６】
尚、本発明は上記し且つ図面に示した実施例に限定されるものではなく、以下に述べるような変形または拡大が可能である。
遊技機の例としてパチンコ遊技機１を挙げたが、スロットマシンのような遊技機であっても良い。移動候補台画面（図８参照）を表示した状態において、その画面を通じた選択操作に応じて移動候補台となったパチンコ遊技機１についての具体的な遊技データ（特賞回数、累計スタート回数など）を液晶表示部１０に表示できる構成としても良い。このような構成とする場合、移動候補台となったパチンコ遊技機１についての遊技データと、現在遊技中のパチンコ遊技機１についての遊技データとを容易に比較できるようにするために、それら遊技データを並べた状態で表示しても良い。表示手段を遊技機と別体に設けたが、遊技機１と一体的に設けても良い。
【図面の簡単な説明】
【図１】本発明の一実施例を示すシステム全体の概略的構成図
【図２】台毎表示ユニットの斜視図
【図３】台毎表示ユニット及び関連部分の電気的構成を示す機能ブロック図
【図４】台毎表示ユニット内の制御部による制御内容を示すフローチャート
【図５】液晶表示部での表示例を示す正面図その１
【図６】液晶表示部での表示例を示す正面図その２
【図７】液晶表示部での表示例を示す正面図その３
【図８】液晶表示部での表示例を示す正面図その４
【符号の説明】
１はパチンコ遊技機、２はＣＲ機、３は台毎表示ユニット、６は管理装置（管理手段）、９はタッチパネル、１０は液晶表示部（表示手段）、１４は制御部（表示制御手段）を示す。
【図１】
2005013333.tif 000003
【図２】
2005013333.tif 000004
【図３】
2005013333.tif 000005
【図４】
2005013333.tif 000006
【図５】
2005013333.tif 000007
【図６】
2005013333.tif 000008
【図７】
2005013333.tif 000009
【図８】
2005013333.tif 000010